(57)【特許請求の範囲】
【請求項１】
上下枠と左右の縦枠を枠組みしてなる枠体内に内外障子を納め、該内外障子はそれぞれ前記下枠の上面に形成される内外レールに案内されるサッシにおいて、
前記下枠の内レールの下部には、前記内外障子を閉じた状態で前記内障子が配置される領域に、該内レールの内外を連通させた排水経路を構成する内側排水孔が形成され、前記下枠の上面には前記内側排水孔と連通し水を室外側に導く排水バイパス部材が設けられ、前記内外障子を閉じた状態で前記内障子が配置される側の前記下枠の端部には、前記外レールにバイパス用切欠部が形成され、前記排水バイパス部材は前記バイパス用切欠部に挿通されることを特徴とするサッシ。
【請求項２】
前記内レールの室内側には凹状の室内凹部が形成され、該室内凹部を覆うように室内樹脂カバー材が設けられることを特徴とする請求項１記載のサッシ。
【請求項３】
前記排水バイパス部材は前記内側排水孔からの水の流路となる連通流路部を備え、前記室内凹部の上面は前記下枠の内外レール間の上面よりも高い位置に形成されることで、前記内レールを挟んで内外に段差を形成し、該段差は前記連通流路部を構成する内壁の厚みと同等の高さまたは前記内壁の厚みより大きい高さを有することを特徴とする請求項２記載のサッシ。
【請求項４】
前記下枠の内外レール間の上面は室内側から室外側に向かう下方傾斜状に形成され、前記排水バイパス部材は前記内外レール間の上面に沿って室内側から室外側に向かう下方傾斜状に形成されることを特徴とする請求項１〜３のいずれか１項に記載のサッシ。
【請求項５】
前記下枠の外レールの下部には、前記排水バイパス部材を挿通させるバイパス用切欠部が設けられることを特徴とする請求項１〜４のいずれか１項に記載のサッシ。
【請求項６】
前記排水バイパス部材は、前記バイパス用切欠部より室外側に下方に向かって屈曲する垂直部を備え、該垂直部の先端部に水出口を備えることを特徴とする請求項５記載のサッシ。
【請求項７】
前記排水バイパス部材の水出口には逆止弁が設けられることを特徴とする請求項１〜６のいずれか１項に記載のサッシ。
【請求項８】
前記排水バイパス部材は前記外障子の下端部に当接自在な外戸当たりブロックを一体的に有してなることを特徴とする請求項１〜７のいずれか１項に記載のサッシ。
【発明の詳細な説明】
【技術分野】
【０００１】
本発明は、建物開口部に設けられる枠体内に内外障子を引き違い状に納めてなるサッシに関し、特に内障子を案内する内レールの室内側に浸入した水を室外側に排水可能なサッシに関する。
【背景技術】
【０００２】
建物開口部に設けられるサッシにおいては、雨水等の浸入に対する排水構造を下枠に備えている。また、枠体内に内外障子が引き違い状に納められるサッシでは、下枠に内外障子を案内する内外レールが形成される。下枠のうち内障子が配置される側については、内レールよりも室外側が、室外に直接さらされ、一方で下枠のうち外障子が配置される側は、外レールよりも室外側が、室外に直接さらされる。このため、特に室外に直接さらされる領域については、下枠上面に排水孔を設けるなどして、下枠の中空部に直接水を導くようにしている。
【０００３】
一方、室外側に通じる下枠の中空部は、内外レール間の領域に渡って設けられるため、内レールよりも室内側の領域から直接下枠の中空部には水を導くことができない。また、内レールの室内側に浸入する水は、通常かなり少ないので、室外側ほどの排水孔は必要とされない。このため、内レールよりも室内側の領域からは、内レールに設けられる排水孔を介して、一旦内外レール間の領域に水が導かれ、さらにそこから中空部に排水がなされる。このような排水構造を有したサッシとしては、例えば特許文献１に挙げるようなものがある。
【先行技術文献】
【特許文献】
【０００４】
【特許文献１】特開２００５−９７９２８号公報
【発明の概要】
【発明が解決しようとする課題】
【０００５】
内レールの排水孔は、通常、内レールのうち室内外を隔てている内障子が配置される側の領域ではなく、室内側に露出する外障子が配置される側の領域に形成される。このため、内障子が配置される側であって内レールより室内側の領域に浸入した水は、まず下枠の長手方向に沿って外障子が配置される側の領域に流れ、そこから内レールの室外側に排水される。
【０００６】
しかし、施工時において枠体に傾きが生じ、内障子側が低くなっていた場合や、内障子の内側の領域に大量の水が溜まった場合などにおいて、排水が効率的になされないため、室内側に水が溢れる可能性があった。
【０００７】
本発明は前記課題を鑑みてなされたものであり、下枠上面のうち内レールの室内側に浸入した水を効率よく室外側に排水できるサッシを提供することを目的とする。
【課題を解決するための手段】
【０００８】
前記課題を解決するため、本発明に係るサッシは、上下枠と左右の縦枠を枠組みしてなる枠体内に内外障子を納め、該内外障子はそれぞれ前記下枠の上面に形成される内外レールに案内されるサッシにおいて、
前記下枠の内レールの下部には、前記内外障子を閉じた状態で前記内障子が配置される領域に、該内レールの内外を連通させた排水経路を構成する内側排水孔が形成され、前記下枠の上面には前記内側排水孔と連通し水を室外側に導く排水バイパス部材が設けられ、前記内外障子を閉じた状態で前記内障子が配置される側の前記下枠の端部には、前記外レールにバイパス用切欠部が形成され、前記排水バイパス部材は前記バイパス用切欠部に挿通されることを特徴として構成されている。
【０００９】
また、本発明に係るサッシは、前記内レールの室内側には凹状の室内凹部が形成され、該室内凹部を覆うように室内樹脂カバー材が設けられることを特徴として構成されている。
【００１０】
さらに、本発明に係るサッシは、前記排水バイパス部材は前記内側排水孔からの水の流路となる連通流路部を備え、前記室内凹部の上面は前記下枠の内外レール間の上面よりも高い位置に形成されることで、前記内レールを挟んで内外に段差を形成し、該段差は前記連通流路部を構成する内壁の厚みと同等の高さまたは前記内壁の厚みより大きい高さを有することを特徴として構成されている。
【００１１】
さらにまた、本発明に係るサッシは、前記下枠の内外レール間の上面は室内側から室外側に向かう下方傾斜状に形成され、前記排水バイパス部材は前記内外レール間の上面に沿って室内側から室外側に向かう下方傾斜状に形成されることを特徴として構成されている。
【００１２】
そして、本発明に係るサッシは、前記下枠の外レールの下部には、前記排水バイパス部材を挿通させるバイパス用切欠部が設けられることを特徴として構成されている。
【００１３】
また、本発明に係るサッシは、前記排水バイパス部材は、前記バイパス用切欠部より室外側に下方に向かって屈曲する垂直部を備え、該垂直部の先端部に水出口を備えることを特徴として構成されている。
【００１４】
さらに、本発明に係るサッシは、前記排水バイパス部材の水出口には逆止弁が設けられることを特徴として構成されている。
【００１５】
さらにまた、本発明に係るサッシは、前記排水バイパス部材は前記外障子の下端部に当接自在な外戸当たりブロックを一体的に有してなることを特徴として構成されている。
【発明の効果】
【００１６】
本発明に係るサッシによれば、下枠の内レールの下部には、内外障子を閉じた状態で内障子が配置される領域に、内レールの内外を連通させた排水経路を構成する内側排水孔が形成され、下枠の上面には内側排水孔と連通し水を室外側に導く排水バイパス部材が設けられることにより、下枠の内障子が配置される側の室内側から内レールの内側排水孔を介して排水できると共に、室内側への逆流を防いで、内レールの室内側に浸入した水を効率よく室外側に排水することができる。
【００１７】
また、本発明に係るサッシによれば、内レールの室内側には凹状の室内凹部が形成され、室内凹部を覆うように室内樹脂カバー材が設けられることにより、下枠の内観を良好にし、また内側排水孔を隠すこともできるので、意匠性を向上させることができる。
【００１８】
さらに、本発明に係るサッシによれば、室内凹部の上面は下枠の内外レール間の上面よりも高い位置に形成されることで、内レールを挟んで内外に段差を形成し、段差は連通流路部を構成する内壁の厚みと同等の高さまたは内壁の厚みより大きい高さを有することにより、室内凹部から排水バイパス部材の連通流路部の流路を連続状あるいは連通流路部側の低くできるので、室内凹部からの水の流れを阻害することなく、円滑な排水をなすことができる。
【００１９】
さらにまた、本発明に係るサッシによれば、下枠の内外レール間の上面は室内側から室外側に向かう下方傾斜状に形成され、排水バイパス部材は内外レール間の上面に沿って室内側から室外側に向かう下方傾斜状に形成されることにより、下枠上面及び排水バイパス部材において水を室外側に向かって円滑に排水できる。
【００２０】
そして、本発明に係るサッシによれば、下枠の外レールの下部には、排水バイパス部材を挿通させるバイパス用切欠部が設けられることにより、排水バイパス部材を外レールの室外側まで持ち出して、より確実な排水をなすことができる。
【００２１】
また、本発明に係るサッシによれば、排水バイパス部材は、バイパス用切欠部より室外側に下方に向かって屈曲する垂直部を備え、垂直部の先端部に水出口を備えることにより、水出口が下枠上面より下方に位置するため、水や空気の逆流を防止することができる。
【００２２】
さらに、本発明に係るサッシによれば、排水バイパス部材の水出口には逆止弁が設けられることにより、水や空気の逆流をより確実に防止することができる。
【００２３】
さらにまた、本発明に係るサッシによれば、排水バイパス部材は外障子の下端部に当接自在な外戸当たりブロックを一体的に有してなることにより、部品点数を減らすと共に、工数を減らしてコストダウンを図ることができる。
【図面の簡単な説明】
【００２４】
【図１】本実施形態におけるサッシの縦断面図である。
【図２】サッシの横断面図である。
【図３】図１の下枠付近拡大図である。
【図４】下枠の平面図である。
【図５】下枠の室外側から見た斜視図である
【図６】下枠の一部を切断して取り出した斜視図である。
【図７】下枠の内障子が配置される側の端部付近拡大斜視図である。
【図８】排水バイパス部材が設けられる部分の下枠の断面図である。
【図９】図７において外戸当たりブロックを除いた斜視図である。
【発明を実施するための形態】
【００２５】
本発明の実施形態について図面に沿って詳細に説明する。図１には本実施形態におけるサッシの縦断面図を、図２にはサッシの横断面図を、それぞれ示している。これら各図に示すように、本実施形態のサッシは、上枠１０と下枠１１及び左右の縦枠１２、１２を方形状に枠組みしてなる枠体１内に、内障子２と外障子３を引き違い状に納めてなるものである。また、外障子３の室外側には網戸４も納められる。
【００２６】
枠体１は、四周に渡って金属材の室内側に樹脂材が配設された構成となっている。上枠１０は、金属上枠１０ａの室内側露出部分を樹脂上枠１０ｂで覆っている。下枠１１は、金属下枠１１ａの上面のうち室内側に露出する部分を樹脂製のカバー部材１１ｂが覆い、さらに室内側の部分を室内樹脂カバー材１１ｃが覆っている。縦枠１２は、金属縦枠１２ａの室内側露出部分を樹脂縦枠１２ｂで覆っている。また、金属下枠１１ａの上面からは、内障子２と外障子３を案内するための内レール２３及び外レール２４が突出状に設けられている。
【００２７】
内障子２と外障子３は、いずれも上框４０と下框４１及び左右の縦框４２、４２を方形状に框組みしてなる框体５内に、ガラス体６を納めて構成されている。框体５は、枠体１と同様に、四周に渡って金属材の室内側に樹脂材が配設された構成となっている。上框４０は、金属上框４０ａの室内側露出部分を樹脂上框４０ｂで覆っている。下框４１は、金属上框４１ａの室内側露出部分を樹脂下框４１ｂで覆っている。縦框４２は、金属縦框４２ａの室内側露出部分を樹脂縦框４２ｂで覆っている。また、下框４１の下端部には戸車４１ｃが設けられ、内障子２では内レール２３に、外障子３では外レール２４に、それぞれ載置されることで、各障子２、３が下枠１１の長手方向に走行自在となるようにしている。
【００２８】
図２に示すように、内障子２と外障子３が閉じた状態では、内障子２は図中右側に配置され、外障子３は図中左側に配置される。内障子２が配置される領域では、枠体１の下辺において内レール２３が室内外を隔てている。一方、外障子３が配置される領域では、枠体１の下辺において外レール２４が室内外を隔てている。
【００２９】
下枠１１の上面には、外障子３が配置される側の縦枠１２に隣接する内レール２３の端部に、内戸当たりブロック２７が設けられ、内障子２が配置される側の縦枠１２に隣接する外レール２４の端部に、外戸当たりブロック２８が設けられる。内戸当たりブロック２７は、内障子２を移動させて開いた際に、框体５の下端部に当接し、框体５が縦枠１２に衝突しないようにするものである。同様に外戸当たりブロック２８は、外障子３を移動させて開いた際に、框体５の下端部に当接し、框体５が縦枠１２に衝突しないようにするものである。
【００３０】
図３には、図１の下枠１１付近拡大図を示している。この図に示すように、金属下枠１１ａは、断面中空状の中空部２０を備え、中空部２０を構成する上面２１の室内端部から内レール２３が突出し、上面の室外端部から外レール２４が突出している。すなわち、中空部２０の上面２１は、下枠１１において内レール２３と外レール２４の間の上面を構成している。この上面２１を覆うように、前述のカバー部材１１ｂが取付けられる。
【００３１】
カバー部材１１ｂは、金属下枠１１ａの上面２１を覆う上面被覆部３０と、上面被覆部３０の室外端部から外レール２４に向かって立ち上がる立ち上がり部３２と、上面被覆部３０の下面から内レール２３に対して係止される室内係止部３４と、上面被覆部３０の下面から外レール２４に対して係止される室外係止部３５とを有している。
【００３２】
カバー部材１１ｂの上面被覆部３０は、金属下枠１１ａの上面２１とは離隔しており、その間の空間領域は、下枠１１上面の水を室内側から室外側へ流す排水経路３６となっている。水が室内側から室外側へ流れやすいように、排水経路３６を構成する金属下枠１１ａの上面２１は、室内側から室外側に向かう下方傾斜状に形成されている。また、カバー部材１１ｂの上面被覆部３０も、室内側から室外側に向かう下方傾斜状となっている。
【００３３】
カバー部材１１ｂの立ち上がり部３２は、上面被覆部３０の室外端部から外レール２４に形成される段状の被係止部２４ｂまで斜め上方に向かって伸び、先端部が被係止部２４ｂに対して係止される。このため、立ち上がり部３２と外レール２４の間には、空間部３２ａが形成される。
【００３４】
金属下枠１１ａの内レール２３よりも室内側は、内レール２３が一辺を構成する室内凹部２２として形成されている。室内樹脂カバー材１１ｃは、室内凹部２２を覆う凹状に形成され、室内端部は室内側に向かって延出されアングル部１３を構成している。なお、このアングル部１３は、樹脂上枠１０ｂや樹脂縦枠１２ｂにも形成され、枠体１の室内端部において四周に渡るように設けられている。内レール２３には被係止部２３ｂが形成されており、室内樹脂カバー材１１ｃの室外面が被係止部２３ｂに対して係止固定される。
【００３５】
次に、下枠１１の排水構造について説明する。枠体１や内外障子２、３の室外側に露出している部分は、雨水等にさらされ、また枠体１や内外障子２、３の室内側に露出している部分においても、結露水などが生じることがある。これらの水は、下方に落ちるため、下枠１１によって受け止められる。このため、下枠１１に室外側に水を排水する排水構造を設ける必要がある。
【００３６】
図４には下枠１１の平面図を、図５には下枠１１の室外側から見た斜視図を、それぞれ示している。図４は、図中上が室外側であり、図中下が室内側である。したがって、内外障子２、３が閉じた状態では、図中右側に内障子２が配置され、図中左側に外障子３が配置される。図４には、内障子２が配置される領域と外障子３が配置される領域を、それぞれ破線で示している。
【００３７】
図４に示すように、下枠１１の内レール２３と外レール２４の間の領域であって、内障子２と外障子３が召し合わされる中央領域には、中央ブロック２６が設けられる。中央ブロック２６は、図５に示すように、上面に複数のヒレ部２６ａを備え、内障子２と外障子３の召合わせ部分における気密性を確保するために設けられる。この中央ブロック２６を挟んで両側にカバー部材１１ｂが設けられる。このうち、外障子３が配置される側、すなわち図中左側のカバー部材１１ｂは、室内側に露出するので、樹脂材により形成されている。一方、内障子２が配置される側、すなわち図中右側のカバー部材１１ｂは、室外側に露出するので、金属材により形成されている。ただし、いずれも断面形状は同じに形成されている。
【００３８】
樹脂材で形成される外障子３が配置される側のカバー部材１１ｂには、上面被覆部３０に上面排水孔３１が形成されている。上面排水孔３１は、カバー部材１１ｂの長手方向に沿って複数が、上面被覆部３０を貫通するように形成されており、下枠１１の内障子２と外障子３の間に流入した水を、金属下枠１１ａの中空部２０に導くものである。
【００３９】
室内樹脂カバー材１１ｃには、中央付近と内障子２が配置される側の端部付近に、それぞれ室内上面排水孔１１ｅが形成されている。室内上面排水孔１１ｅは、室内樹脂カバー材１１ｃの上面に流入した水を金属下枠１１ａの室内凹部２２に導くものである。
【００４０】
金属下枠１１ａの室内凹部２２を構成する内レール２３には、図５に示すように、外障子３が配置される側の領域に内側排水孔２３ａが形成されている。内側排水孔２３ａは、カバー部材１１ｂの上面被覆部３０の上下両方に渡るように形成されており、室内樹脂カバー材１１ｃの上面からの水及び室内凹部２２の底面からの水の両方を、内レール２３と外レール２４の間の上面２１に導く。
【００４１】
内レール２３と外レール２４の間の上面２１に導かれた水は、図３に示されているように、外レール２４の下部に形成される外側排水孔２４ａを介して金属下枠１１ａの室外側に排水される。金属下枠１１ａの室外面には、図５に示すように、複数の排水器２５が設けられており、この排水器２５の裏側に外側排水孔２４ａが形成されている。排水器２５は、内部に逆止弁を有しており、雨水等が排水経路に吹き込んで逆流することを防止する。
【００４２】
このように、外障子３が配置される側については、内レール２３より室内側に流入した水が、内側排水孔２３ａから内レール２３と外レール２４の間の領域に導かれ、さらに外側排水孔２４ａから外部に排水される。一方、内障子２が配置される側については、縦枠１２側の端部に設けられる排水バイパス部材２９によって排水経路が形成される。その構成については後で詳述する。
【００４３】
外障子３が配置される側では、内レール２３と外レール２４の間の上面２１から外側排水孔２４ａを経て排水がなされるが、室外側からの強風などにより排水側からの逆流があった場合に、空気と水の流れを分離することで、空気と水が室内側に噴出することを防止するようにしている。
【００４４】
図６には、下枠１１の一部を切断して取り出した斜視図を示している。この図に示すように、カバー部材１１ｂの立ち上がり部３２には、空気連通孔３３が形成されている。前述のように、立ち上がり部３２と外レール２４の間には、空間部３２ａが形成されており、その下部には外側排水孔２４ａが配置されている。
【００４５】
通常、下枠１１から排水される水は、下枠１１の上面２１とカバー部材１１ｂの上面被覆部３０との間の排水経路３６を通って外側排水孔２４ａに導かれる。一方、雨水と風が同時に吹き込んで外側排水孔２４ａからの逆流があった場合、図６において太い矢印で示すように、空気は立ち上がり部３２と外レール２４の間の空間部３２ａから空気連通孔３３を介して室内側に抜けるので、雨水は排水経路３６を逆方向に流れるに止まり、カバー部材１１ｂの上面排水孔１１ｅなどから噴出することを防止することができる。
【００４６】
カバー部材１１ｂの立ち上がり部３２は、上面被覆部３０の室外端部から外レール２４に向かって立ち上がり、空気連通孔３３は、上面被覆部３０の上面排水孔１１ｅよりも高い位置に形成されるので、逆流した空気を確実に通して、水の噴出を防止することができる。また、立ち上がり部３２と外レール２４の間に空間部３２ａを設けているので、これを空気の流路とすることができる。立ち上がり部３２をカバー部材１１ｂの室内側に形成して、内レール２３に向かって立ち上がるようにし、そこに空気連通孔３３を形成するようにしてもよいが、室外側に形成した方が、より確実に空気を抜くことができる。
【００４７】
次に、内障子２が配置される側の室内凹部２２からの排水構造について説明する。図７には、下枠１１の内障子２が配置される側の端部付近拡大斜視図を示している。この図に示すように、下枠１１の上面端部には、前述の外戸当たりブロック２８が外レール２４を跨ぐように設けられており、その下部には排水バイパス部材２９が設けられている。図７では、排水バイパス部材２９のうち室外端部部分のみが現れている。
【００４８】
図８には、排水バイパス部材２９が設けられる部分の下枠１１の断面図を示している。また、図９には、図７において外戸当たりブロック２８を除いた斜視図を示している。図８に示すように、内レール２３の内側排水孔２３ａは、内レール２３の内外を連通させることで、室内凹部２２と内レール２３より室外側との間の排水経路を構成し、排水バイパス部材２９は、内側排水孔２３ａと連通し室内凹部２２からの水を室外側に導く連通流路部２９ａを備えていて、この連通流路部２９ａが内側排水孔２３ａから連続する排水経路となっている。
【００４９】
前述の通り、内レール２３と外レール２４の間における金属下枠１１ａの上面２１は、室内側から室外側に向かう下方傾斜状に形成されており、排水バイパス部材２９の連通流路部２９ａも、これに沿って室内側から室外側に向かう下方傾斜状に形成されている。このため、水を円滑に室外側に向かって流すことができる。
【００５０】
金属下枠１１ａに形成された室内凹部２２の上面２２ａと、内レール２３と外レール２４の間の上面２１との間には、内レール２３を挟んだ内外で高さが異なり、段差２３ｃにより上面２１の方が低くなるように形成されている。この段差２３ｃは、排水バイパス部材２９の連通流路部２９ａを形成する内壁の厚みと同等の高さを有している。これによって、室内凹部２２の上面２２ａと排水バイパス部材２９の連通流路部２９ａとを連続した流路として構成することができ、排水を円滑に行うことができる。また、段差２３ｃは、連通流路部２９ａを形成する内壁の厚みよりも大きい高さを有するように形成してもよい。この場合には、連通流路部２９ａの方が室内凹部２２の上面２２ａより低くなるので、同様に円滑な排水をなすことができる。
【００５１】
排水バイパス部材２９は、連通流路部２９ａにより、内障子２が配置される側の室内凹部２２に流入した水について、内レール２３よりも室外側に持ち出して排水することにより、当該領域で室内外を隔てる内レール２３より室外側で排水がなされ、雨水や風が室内側に吹き込むことを防止しつつ、円滑な排水をなすことができる。
【００５２】
排水バイパス部材２９は、室内凹部２２からの水を、外レール２４よりも室外側に排水するため、外レール２４には端部に排水バイパス部材２９が挿通するバイパス用切欠部２４ｃが形成されている。排水バイパス部材２９は、バイパス用切欠部２４ｃを挿通されたさらに室外側に、金属下枠１１ａの室外面に沿い下方に向かって屈曲する垂直部２９ｂを備えている。垂直部２９ｂの先端部室外面には、水出口２９ｃが形成されており、ここから最終的に排水がなされる。また、図８に示すように、水出口２９ｃには逆止弁２９ｄが設けられており、室外側からの雨水や風の逆流を防止している。
【００５３】
このように、排水バイパス部材２９を外レール２４の室外側まで持ち出し、さらに下方に屈曲させ下端部で排水させるので、雨水や風の逆流をさらに確実に防止することができる。また、排水バイパス部材２９を覆うように外戸当たりブロック２８が設けられ、これらは一体化された状態となるが、排水バイパス部材２９と外戸当たりブロック２８を最初から一体的な部品として形成してもよい。
【００５４】
また、排水バイパス部材２９は、少なくとも水出口を内側排水孔２３ａから室外側に持ち出すように形成されていればよく、外レール２４の手前までであってもよいし、また外レール２４の手前でＬ字状に屈曲するようなものであってもよい。
【００５５】
以上、本発明の実施形態について説明したが、本発明の適用は本実施形態には限られず、その技術的思想の範囲内において様々に適用されうるものである。
【符号の説明】
【００５６】
１    枠体
２    内障子
３    外障子
４    網戸
５    框体
６    ガラス体
１０    上枠
１１    下枠
１１ｂ  カバー部材
１１ｃ  室内樹脂カバー材
１２    縦枠
２０    中空部
２１    上面
２２    室内凹部
２３    内レール
２３ａ  内側排水孔
２４    外レール
２４ａ  外側排水孔
２９    排水バイパス部材
２９ａ  連通流路部
２９ｂ  垂直部
２９ｃ  水出口
３０    上面被覆部
３１    上面排水孔
３２    立ち上がり部
３２ａ  空間部
３３    空気連通孔
【図１】
0005466064.tif 000002
【図２】
0005466064.tif 000003
【図３】
0005466064.tif 000004
【図４】
0005466064.tif 000005
【図５】
0005466064.tif 000006
【図６】
0005466064.tif 000007
【図７】
0005466064.tif 000008
【図８】
0005466064.tif 000009
【図９】
0005466064.tif 000010